(57)【要約】【課題】水晶体嚢のサイズの可変性、及び水晶体嚢のサイズを測定するための現状の不完全な方法を考慮した、及び／又は、眼内に生じる又は眼内レンズに対して生じ得る埋め込み後の変化を考慮した、更なるレンズ、及び適切なレンズを選択し埋め込む方法を提供する。【解決手段】調節式埋め込みレンズ及びその使用方法は、埋め込み後の水晶体嚢に対する変化、及び調節式眼内レンズと水晶体嚢との間のサイズの不整合を考慮する。【選択図】図７
2014231014.tif 000002
【特許請求の範囲】
【請求項１】
光学部分及び前記光学部分の周辺に配置された少なくとも１つのハプティックを備え、前記光学部分及び前記少なくとも１つのハプティックが流体的に連結している、調節式眼内レンズ（ＡＩＯＬ）であって、前記ハプティックが、半径方向外側の壁が半径方向内側の壁よりも薄い流体チャンバを有する、ＡＩＯＬ。
【請求項２】
前記半径方向外側の壁が小帯に接触する領域であり、前記半径方向内側の壁が小帯に接触しない領域である、請求項１に記載のＡＩＯＬ。
【請求項３】
前記ハプティックが楕円形の断面形状を有する、請求項１に記載のＡＩＯＬ。
【請求項４】
光学部分及び前記光学部分の周辺に配置された少なくとも１つのハプティックを備え、前記光学部分及び前記少なくとも１つのハプティックが流体的に連結している、調節式眼内レンズ（ＡＩＯＬ）であって、前記ハプティックが、半径方向外側の壁が半径方向内側の壁よりも弾力的である流体チャンバを有する、ＡＩＯＬ。
【請求項５】
前記半径方向外側の壁が前記半径方向内側の壁よりも薄い、請求項４に記載のＡＩＯＬ。
【請求項６】
前記半径方向外側の壁が小帯に接触する領域であり、前記半径方向内側の壁が小帯に接触しない領域である、請求項４に記載のＡＩＯＬ。
【請求項７】
前記ハプティックが楕円形の断面形状を有する、請求項４に記載のＡＩＯＬ。
【請求項８】
光学部分及び前記光学部分の周辺に配置された少なくとも１つのハプティックを備え、前記光学部分及び前記少なくとも１つのハプティックが流体的に連結している、調節式眼内レンズ（ＡＩＯＬ）であって、前記ハプティックが、小帯に接触する領域における壁の部分が小帯に接触しない領域における壁の部分よりも弾力的である流体チャンバを有する、ＡＩＯＬ。
【請求項９】
前記小帯に接触する領域における壁の部分が前記小帯に接触しない領域における壁の部分よりも薄い、請求項８に記載のＡＩＯＬ。
【請求項１０】
前記ハプティックが楕円形の断面形状を有する、請求項８に記載のＡＩＯＬ。
【発明の詳細な説明】
【技術分野】
【０００１】
［関連出願の相互参照］
本願は、２００９年１月９日出願の米国仮出願第６１／１４３５５９号の優先権を主張し、その出願は参照として本願に組み込まれる。
【背景技術】
【０００２】
初めに、図１及び図２を参照して、本発明の背景において、人間の眼の構造及び動作について説明する。眼１０は、角膜１１、虹彩１２、毛様体筋１３、靭帯線維又は小帯１４、水晶体嚢１５、水晶体１６、及び網膜１７を含む。水晶体１６は、粘性でゼラチン状の透明線維から成り、“たまねぎ状”の層構造に配置され、且つ透明で弾性な水晶体嚢１５内に配置されている。水晶体嚢１５は、その周囲の小帯１４によって毛様体筋１３に結合されていて、その毛様体筋１３は、眼１０の内面に取り付けられている。硝子体１８は、眼１０の中心部を充填する高度に粘性で透明な流体である。
【０００３】
眼から分離されると、緩和した水晶体嚢及び水晶体は凸状を呈する。しかしながら、小帯１４によって眼内に懸架されると、水晶体嚢１５は、適度な凸状（毛様体筋が緩和した際）と高度な凸状（毛様体筋が収縮した際）との間で動く。図２Ａに示されるように、毛様体筋１３が緩和すると、水晶体嚢１５及び水晶体１６は、その外周でより大きな直径へと引っ張られて、レンズがより薄くて（光軸に沿って測定した際に）長い形状を呈するようになる。図２Ｂに示されるように、毛様体筋１３が収縮すると、小帯及び水晶体嚢の張力が低下して、水晶体がより厚くて短い形状を呈することによって、水晶体の屈折力（ディオプトリパワー）を増大させる。
【０００４】
水晶体は、毛様体筋によって支持されている透明で弾性な水晶体嚢内において瞳孔の後方に位置していて、略１５ディオプトリの屈折力を提供し、また、網膜上に像を合焦させる重要な機能を果たす。この合焦機能は、“調節（アコモデーション，ａｃｃｏｍｍｏｄａｔｉｏｎ）”と称され、多様な距離における物体の結像を可能にする。
【０００５】
若い人の眼の水晶体の屈折力は、適度な凸状から高度な凸状に水晶体の形状を調整することによって、１５ディオプトリから略２９ディオプトリの間で調整可能である。この調整を生じさせるものとして一般に受け入れられているメカニズムは、水晶体嚢（及びその中に含まれる水晶体）を支持する毛様体筋が緩和状態（適度な凸状に対応）及び収縮状態（高度な凸状に対応）との間で動くことである。水晶体自体が粘性でゼラチン質で透明な線維から成り、“たまねぎ状”の層構造に配置されているので、毛様体筋によって水晶体嚢に印加される力によって、レンズが形状を変化させる。
【０００６】
人が年をとると、水晶体は硬化してあまり弾性ではなくなり、略４５歳〜５０歳までに、調節は、略２ディオプトリに減少する。高齢では、水晶体は非調節性であるとみなされ得て、“老眼”として知られる状態になる。結像距離は固定されているので、老眼は典型的に、近方視力及び遠方視力を促進するために二重焦点を必要とする。
【０００７】
白内障は、世界中において主な失明原因であり、最も一般的な眼病である。白内障は患者の眼の混濁であり、局所的な混濁、又は拡散的で全般的な透明性の喪失である。白内障は、加齢の結果として、又は先天的な要因、トラウマ、炎症、代謝又は栄養疾患、若しくは放射線に伴って、生じる。年齢に関係する白内障が最も一般的である。白内障からの障害が個人の日常生活の活動に対して影響を与えたり変えたりする場合、眼内レンズ（ＩＯＬ，ｉｎｔｒａｏｃｕｌａｒ  ｌｅｎｓ）を埋め込んで外科的に水晶体を除去することが、機能性の制限を処置する好ましい方法である。
【０００８】
白内障又は調節機能の低下を処置する方法の一つとして、水晶体嚢から水晶体マトリクスを除去して、眼内レンズ（ＩＯＬ）で置換することが挙げられる。ＩＯＬの一種は、単一焦点距離（つまり、非調節性）を提供して、患者がかなり優れた遠方視力を有するようにする。しかしながら、そのレンズはもはや調節を行うことができないので、患者は典型的には読書用の眼鏡を必要とする。
【０００９】
年齢に関係する調節機能の喪失は別にして、こうした喪失は、白内障の処置に対するＩＯＬの配置に固有のものである。単一焦点距離のＩＯＬの配置後には、調節はもはや可能ではないが、ＩＯＬを装着する人にとっては典型的に、その機能は既に失われている。
【００１０】
調節式ＩＯＬ（ＡＩＯＬ，ａｃｃｏｍｍｏｄａｔｉｎｇ  ＩＯＬ）は、（小帯の張力及び緩和に応答しての）水晶体嚢の形状の変化からの自然な力を利用することによって機能して、その力を用いてＡＩＯＬの形状又は位置の変化を推進して、ＡＩＯＬの屈折力を調節する。ＡＩＯＬの屈折力の変化の度合いは、少なくとも部分的には水晶体嚢からＡＩＯＬに与えられる力（水晶体嚢の形状変化によるもの）の量に依存する。従って、調節（及び／又は非調節）の度合いは、少なくとも部分的には埋め込まれたＡＩＯＬの外面と水晶体嚢との間の係合の度合いに依存する。ＡＩＯＬ（ＡＩＯＬの少なくとも特定の部分）と水晶体嚢との間のより良い“フィット”は、水晶体嚢からＡＩＯＬへのより効率的な力の伝達を提供する。
【００１１】
ＡＩＯＬを埋め込む前に水晶体嚢のサイズ（例えば、直径、円周、深度等）を知ることが一般的には好ましい。更に、水晶体嚢の直径は、患者毎に、更には眼毎に違うものであり得て、小さな直径の水晶体嚢と大きな直径の水晶体嚢との間の直径の差は、略１．５ｍｍ、つまり１５００マイクロメートルとなる。従って、ＡＩＯＬと水晶体嚢との間のフィットは、測定された患者の水晶体嚢のサイズに依存する。例えば、水晶体嚢がＡＩＯＬよりもはるかに大きいと（従って、レンズとの良い“フィット”を有していないと）、水晶体嚢が形状を変えるがＡＩＯＬと接触しない（又はＩＯＬと接触するが、ＡＩＯＬに十分な力を印加しない）際に、水晶体嚢が発生させることのできる力の多くが無駄になり得て、調節性がほとんど又は全く無くなる。逆に、ＡＩＯＬが水晶体嚢よりも大きくて、その埋め込み中に水晶体嚢内へ押し込むことを必要とすると、水晶体嚢は、毛様体筋の収縮が無くても、ＡＩＯＬに対して力を及ぼす。場合によっては、ＡＩＯＬは、毛様体筋が緩和した際においても永久に調節された構成に変わり得て、患者の近視寄りをもたらす。
【００１２】
しかしながら、水晶体嚢の寸法は、正確には測定し難いものである。水晶体嚢の直径を測定する現状の方法は、略±３００マイクロメートルの精度のものに過ぎない。従って、水晶体嚢を測定した後でさえも、水晶体嚢の正確な直径に基づくとその直径が望ましいものではないＡＩＯＬが埋め込まれる危険性が存在する。例えば、埋め込まれたＡＩＯＬが水晶体嚢の実際のサイズに対して大き過ぎるものになり得る。これは、永久的な近視寄りをもたらし得る。
【００１３】
更に、レンズ埋め込み後の眼内の変化、更には埋め込み後のＩＯＬに対する変化が生じ得る。例えば、埋め込み後（水晶体嚢はＩＯＬ周辺で収縮する）の水晶体嚢からの治癒反応（患者毎に異なるものであり得る）が存在することが指摘されている。これは、水晶体嚢からの水晶体の除去に応答しての水晶体嚢からの線維化反応であると考えられる。水晶体嚢の収縮は、埋め込み後のＩＯＬ、又はＩＯＬの部分を変形させ得て、ＩＯＬの屈折力を変化させ得る。従って、ＩＯＬの設定点が、水晶体嚢の収縮等の眼内で生じる変化によって埋め込み後に影響され得る。
【００１４】
埋め込み後の眼内の変化又はレンズ自体の変化を考慮する選択肢の一つは、レンズに対して又は目の一部分に対して埋め込み後の調整を行うことである。一部の埋め込み後の調整は介入を必要とするものである一方、一部のＩＯＬは、眼内で生じる変化又はレンズに対して生じる変化を考慮するように埋め込み後の自己調整、又は自動調整を行うように構成されて配置される。例示的なレンズ及び眼に対して実行可能な埋め込み後の調整として、２００３年２月２日出願の米国特許出願第１０／３５８０３８号、２００４年１０月７日出願の米国特許出願第１０／８９０５７６号、２００６年８月２１日出願の米国特許出願第１１／５０７９４６号、２００８年７月２３日出願の米国特許出願第１２／１７８３０４号、２００３年２月６日出願の米国特許出願第１０／３６００９１号、２００３年８月１２日出願の米国特許出願第１０／６３９８９４号、２００５年１１月２１日出願の米国特許出願第１１／２８４０６８号、２００２年８月１２日出願の米国仮出願第６０／４０２７４６号、２００２年８月２３日出願の米国仮出願第６０／４０５４７１号、米国仮出願第６０／４８７５４１号、及び２００２年８月２９日出願の米国特許出願第１０／２３１４３３号が挙げられ、これら全ては参照として本願に組み込まれる。
【００１５】
一部の埋め込み後の変更に対して考えられる欠点の一つは、二次介入（つまり、ＩＯＬが水晶体嚢内に配置された後の追加のステップ又は手順）を必要とする点である。埋め込み後に眼内で生じる変化又はＩＯＬ自体に生じる変化を自動的に考慮できるＩＯＬを埋め込み用に選択することは、二次介入の必要を回避する可能性を有し、全体的な埋め込みプロセスを短縮及び／又は単純化することができる。
【先行技術文献】
【特許文献】
【００１６】
【特許文献１】米国特許出願公開第２００９／０００５８６５号明細書
【特許文献２】米国特許出願公開第２００７／００８８４３３号明細書
【特許文献３】米国特許出願公開第２００６／０２５３１９６号明細書
【特許文献４】米国特許出願公開第２００８／００４６０７５号明細書
【発明の概要】
【発明が解決しようとする課題】
【００１７】
従って、上述の問題に鑑み、水晶体嚢のサイズの可変性、及び水晶体嚢のサイズを測定するための現状の不完全な方法を考慮した、及び／又は、眼内に生じる又は眼内レンズに対して生じ得る埋め込み後の変化を考慮した、更なるレンズ、及び適切なレンズを選択し埋め込む方法が必要とされている。
【課題を解決するための手段】
【００１８】
一側面は、光学部分と、周辺部分と、光学部分及び周辺部分の少なくとも一方の内部に配置された流体とを含む調節式眼内レンズ（ＡＩＯＬ）であり、そのＡＩＯＬは、水晶体嚢の力の量の増大に対して非線形な屈折力の応答を有する。
【００１９】
一部実施形態では、非線形応答の第二の部分中のＡＩＯＬの屈折力の変化は、非線形応答の第一の部分中のＡＩＯＬの屈折力の変化よりも実質的に大きい。非線形応答の第一の部分中の屈折力の変化は、ゼロよりも大きくなり得る。
【００２０】
一部実施形態では、非線形応答の第一の部分中のＡＩＯＬの屈折力の変化は実質的にゼロである。
【００２１】
一部実施形態では、周辺部分は、光学部分内部の流体チャネルと流体的に連結している流体チャンバを画定し、その流体は、流体チャンバ及び流体チャネルの内部に配置される。アクティブチャネル内の流体の圧力は、非線形応答の第一の部分中に第一の圧力から第二の圧力に増大し得て、またその流体の圧力は、非線形応答の第二の部分中に第二の圧力から第三の圧力に増大し得る。また、アクティブチャネル内の流体の圧力は、第一の部分中に実質的に同じままであり得て、第二の部分中に第一の圧力から第二の圧力に増大し得る。
【００２２】
一部実施形態では、光学部分は、前方素子と、後方素子と、前方素子と後方素子との間に配置された中間素子とを備え、その中間素子は、水晶体嚢の力に応答して偏向する。一部実施形態では、中間素子は、ＡＩＯＬに対する水晶体嚢の力に応答して偏向するアクチュエータを備える。一部実施形態では、中間素子は、非線形応答の第一の部分中及び非線形応答の第二の部分中に偏向する。中間素子は、第一の部分の開始時に前方素子に接触していないものであり得て、第二の部分の開始時に前方素子に接触している。一部実施形態では、前方素子の曲率が、第一の部分中よりも第二の部分中においてより大きく変化する。中間素子及び後方素子は、周辺部分と流体的に連結しているアクティブチャネルを画定し得て、前方素子及び中間素子はパッシブチャンバを画定し、前記流体はアクティブチャネル及び周辺部分内部に配置された第一の流体であり、パッシブチャンバが第二の流体を含む。
【００２３】
一部実施形態では、周辺部分は、水晶体嚢の力に応答して変形するハプティックを備える。
【００２４】
一側面は、光学部分と、その光学部分の周辺の非光学部分とを含む調節式眼内レンズ（ＡＩＯＬ）であり、光学部分は、ＡＩＯＬに対する水晶体嚢の力に応答して構成を変化させるアクチュエーション素子を備え、ＡＩＯＬは、そのＡＩＯＬに対する水晶体嚢の力に応答して非線形な屈折力の応答を有する。
【００２５】
一部実施形態では、光学部分が前方素子及び後方素子を備えて、アクチュエーション素子が前方素子と後方素子との間に配置される。アクチュエーション素子は、非線形応答の第一の部分の開始時に前方素子に接触していないものであり得るが、非線形応答の第二の部分の開始時に前方素子に接触している。前方素子の曲率は、水晶体嚢の力に応答して変形するように構成され得て、前方素子の曲率は、非線形応答の第一の部分中よりも非線形応答の第二の部分中により大きく変形する。
【００２６】
一部実施形態では、ＡＩＯＬの屈折力は、非線形応答の第二の部分中よりも非線形応答の第一の部分中において実質的に小さく変化する。
【００２７】
一部実施形態では、非線形応答の第一の部分中のＡＩＯＬの屈折力は実質的に一定のままである。
【００２８】
一部実施形態では、ＡＩＯＬは、光学部分及び周辺部分の少なくとも一方の内部に配置された流体を更に備え、アクチュエーション素子が、ＡＩＯＬ内部の流体の変位に応答して構成を変化させるように構成されている。
【００２９】
一側面は、調節式眼内レンズに対する水晶体嚢の力を考慮する方法である。本方法は、光学部分及び周辺部分を備えた調節式眼内レンズ（ＡＩＯＬ）を提供するステップと、ＡＩＯＬを眼内に埋め込むステップと、ＡＩＯＬに対して、そのＡＩＯＬに対する水晶体嚢の力に対する非線形な屈折力の応答を有させる一方で、光学部分内部のアクチュエーション素子に構成を変化させるステップとを備える。
【００３０】
一部実施形態では、光学部分内部のアクチュエーション素子に構成を変化させるステップは、光学部分の前方素子と光学部分の後方素子との間に配置されたアクチュエーション素子を前方素子又は後方素子に向けて偏向させるステップを備える。その変化させるステップは、非線形応答の第一の部分中に前方素子又は後方素子に係合させずに、アクチュエーション素子を前方素子又は後方素子に向けて動かすステップを備え得る。また、その変化させるステップは、非線形応答の第二の部分中にアクチュエーション素子を前方素子又は後方素子に係合させるステップも含み得る。
【００３１】
一部実施形態では、ＡＩＯＬに対する水晶体嚢の力に応答して複数の屈折力変化フェイズを提供することが、非線形応答の第一の部分を提供することを含み、その第一の部分中において、ＡＩＯＬの屈折力は、非線形応答の第二の部分中よりも実質的に小さく変化する。ＡＩＯＬの屈折力は、非線形応答の第一の部分中に実質的に同じままであり得る。
【００３２】
一部実施形態では、その変化させるステップが、前方素子の曲率を、非線形応答の第一の部分中よりも非線形応答の第二の部分中により大きく変化させるステップを備える。
【００３３】
一側面は調節式眼内レンズのキットである。そのキットは、複数の調節式眼内レンズを含み、複数の調節式眼内レンズの各々は光学部分及び周辺部分を備え、複数の調節式眼内レンズの各々は、異なる物理パラメータを備えた光学部分素子を有する。異なる物理パラメータは光学部分素子の寸法であり得る。光学部分素子は、光学部分の前面と後面との間に配置されたアクチュエータであり得る。
【００３４】
一側面は、埋め込み用の調節式眼内レンズを選択する方法である。本方法は、水晶体嚢の特性を測定するステップと、測定された特性に少なくとも部分的に基づいて、複数の調節式眼内レンズ（各調節式眼内レンズは異なる物理パラメータを備えた光学部分素子を有する）から一つの調節式眼内レンズを選択するステップと、その調節式眼内レンズを患者の眼の内部に埋め込むステップとを備える。
【００３５】
一部実施形態では、選択するステップが、眼内レンズに対する水晶体嚢の力に対して非線形な屈折力の応答を提供する物理パラメータを備えた調節式眼内レンズを選択するステップを備える。
【００３６】
一側面は、眼内レンズ（ＡＩＯＬ）を調節する方法である。本方法は、第一の種類の毛様体筋の動きに対する非線形な屈折力の応答の第一の部分中に屈折力を変化させ、且つ第二の種類の毛様体筋の動きに対する非線形な応答の第二の部分中に屈折力を変化させるＡＩＯＬを提供するステップを含み、第一及び第二の種類の毛様体筋の動きは同じ種類の動きであり、非線形な屈折力の応答の第一の部分中の屈折力の変化は、非線形な屈折力の応答の第二の部分中の屈折力の変化と異なる。また、本方法は、患者の眼の内部に調節式眼内レンズを埋め込んで、非線形な屈折力の応答を備えて埋め込まれたＡＩＯＬを提供するステップも含む。
【００３７】
一部実施形態では、第一の部分中の屈折力の変化は、第二の部分中の屈折力の変化よりも実質的に小さく、第一の部分が第二の部分の前に生じる。第一の部分中には屈折力の変化が実質的にない場合もある。
【００３８】
一部実施形態では、ＡＩＯＬは表面素子を備え、第一の部分中の表面素子の曲率の変化の度合いは、第二の部分中の表面素子の曲率の変化の度合いと異なる。
【００３９】
一部実施形態では、第一及び第二の種類の毛様体筋の動きは毛様体筋の収縮である。
【００４０】
一側面は、調節式眼内レンズ（ＡＩＯＬ）を調節する方法である。本方法は、単一の種類の毛様体筋の動きに対して非線形な屈折力の変化の応答を有するＡＩＯＬを提供するステップと、患者の眼の中にＡＩＯＬを埋め込むステップと、単一の種類の毛様体筋の動きに応答して非線形にＡＩＯＬに調節を行わせるステップとを含む。
【００４１】
一部実施形態では、単一の種類の毛様体筋の動きは毛様体筋の収縮である。
【００４２】
一側面は、光学部分及び周辺部分を含む調節式眼内レンズであり、その調節式眼内レンズは、単一の種類の毛様体筋の動きに対する非線形な屈折力の変化の応答を有する。
【００４３】
一側面は、光学部分と、周辺部分と、光学部分及び周辺部分の内部に配置された流体とを含む調節式眼内レンズであり、光学部分及び周辺部分が流体的に連結していて、周辺部分が、毛様体筋の動きに起因する水晶体嚢の再成形に応答して変形して、周辺部分と光学部分との間で流体を変位させて、周辺部分が、毛様体筋の動きに関係しない水晶体嚢の再成形に応答して周辺部分と光学部分との間で流体が実質的に変位しないように構成されている。
【００４４】
一部実施形態では、周辺部分は、光学部分と流体的に連結している少なくとも一つのハプティックを備え、そのハプティックは、周辺部分と光学部分との間で流体が実質的に変位しないように毛様体筋の動きに関係しない水晶体嚢の再成形に応答して変形するように構成されている。
【００４５】
一部実施形態では、少なくとも一つのハプティックの寸法は、ＡＩＯＬが埋め込まれる水晶体嚢の寸法よりも大きい。
【００４６】
一部実施形態では、周辺部分は、楕円形の断面を有する少なくとも一つのハプティックを含む。
【００４７】
一側面は、二部品の調節式眼内レンズ（ＡＩＯＬ）を届ける方法である。本方法は、フレームが水晶体嚢に対して係合及び再成形を行うように患者の水晶体嚢の内部にフレーム素子を届けるステップと、水晶体嚢内部においてＡＩＯＬを、毛様体筋の動きに応答してＡＩＯＬに調節を行わせる位置に届けるステップとを含む。
【００４８】
一部実施形態では、フレームを届けるステップは、フレームをデリバリー用構成から埋め込まれた構成に再構成させるステップを備える。
【００４９】
一部実施形態では、水晶体嚢を再構成することは、軸方向に水晶体嚢を延伸させることを含む。軸方向に水晶体嚢を延伸させることは、水晶体嚢の前方部分を前方方向に延伸させて、水晶体嚢の後方部分を後方方向に延伸させることを備え得る。
【００５０】
一部実施形態では、フレーム素子を届けるステップは、水晶体嚢が、毛様体筋の動きに関係しない水晶体嚢の力に起因してＡＩＯＬに対して力を印加することを防止するステップを備える。
【００５１】
一部実施形態では、本方法は、ＡＩＯＬに対してフレーム素子を固定するステップを含まない。
【００５２】
［参照としての組み込み］
本明細書で言及される全ての文献及び特許出願は、各文献又は特許出願が参照として組み込まれる旨が明確且つ個別に述べられているのと同程度において、参照として本願に組み込まれるものである。
【００５３】
本発明の新規特徴は、特に添付の特許請求の範囲において説明される。本発明の特徴及び利点のより良い理解は、本発明の原理が利用されている例示的な実施形態を説明する以下の発明の詳細な説明及び添付図面を参照することによって得られるものである。
【図面の簡単な説明】
【００５４】
【図１】眼の部分解剖図を示す。
【図２Ａ】眼の部分解剖図を示す。
【図２Ｂ】眼の部分解剖図を示す。
【図３】デッドゾーンの無い例示的な調節式眼内レンズを示す。
【図４】デッドゾーンの無い例示的な調節式眼内レンズを示す。
【図５】デッドゾーンの無い例示的な調節式眼内レンズを示す。
【図６】デッドゾーンの無い例示的な調節式眼内レンズの部分断面図を示す。
【図７】デッドゾーンを備えた例示的な調節式眼内レンズを示す。
【図８】調節範囲全体にわたるデッドゾーンを備えた例示的な調節式眼内レンズを示す。
【図９】調節範囲全体にわたるデッドゾーンを備えた例示的な調節式眼内レンズを示す。
【図１０】調節範囲全体にわたるデッドゾーンを備えた例示的な調節式眼内レンズを示す。
【図１１】デッドゾーンを含む例示的な調節式眼内レンズを示す。
【図１２】毛様体筋の動きに関係しない水晶体嚢の力を補償することができる調節式眼内レンズを示す。
【図１３】毛様体筋の動きに関係しない水晶体嚢の力を補償することができる調節式眼内レンズを示す。
【図１４】毛様体筋の動きに関係しない水晶体嚢の力を補償することができる調節式眼内レンズを示す。
【図１５】ハプティック全体にわたって硬度が変化しているハプティックを含む調節式眼内レンズを示す。
【図１６】ハプティック全体にわたって硬度が変化しているハプティックを含む調節式眼内レンズを示す。
【図１７】小帯に接触しない領域においてよりも小帯に接触する領域において小帯の張力に大きく応答する調節式眼内レンズを示す。
【図１８】小帯に接触しない領域においてよりも小帯に接触する領域において小帯の張力に大きく応答する調節式眼内レンズを示す。
【図１９】小帯に接触しない領域においてよりも小帯に接触する領域において小帯の張力に大きく応答する調節式眼内レンズを示す。
【図２０】置換レンズの調節素子の前に水晶体嚢内部に配置可能な水晶体嚢伸長フレームを示す。
【図２１】置換レンズの調節素子の前に水晶体嚢内部に配置可能な水晶体嚢伸長フレームを示す。
【図２２】置換レンズの調節素子の前に水晶体嚢内部に配置可能な水晶体嚢伸長フレームを示す。
【図２３】伸長フレームが配置されている水晶体嚢内に埋め込まれた例示的なレンズを示す。
【図２４】伸長フレームが配置されている水晶体嚢内に埋め込まれた例示的なレンズを示す。
【図２５】伸長フレームが配置されている水晶体嚢内に埋め込まれた例示的なレンズを示す。
【図２６Ａ】三つの例示的な水晶体嚢の断面図の上に置かれた例示的な眼内レンズの断面図を示す。
【図２６Ｂ】三つの例示的な水晶体嚢の断面図の上に置かれた例示的な眼内レンズの断面図を示す。
【図２６Ｃ】三つの例示的な水晶体嚢の断面図の上に置かれた例示的な眼内レンズの断面図を示す。
【発明を実施するための形態】
【００５５】
本開示は一般的に、患者の水晶体嚢のサイズの可変性、水晶体嚢の不正確な測定、及び／又は水晶体嚢内に眼内レンズを埋め込んだ後に眼内に生じ得る又は眼内レンズに対して生じ得る変化を考慮するレンズ及び方法に関する。水晶体嚢のサイズの可変性及び水晶体嚢の不正確な測定は、眼内レンズと水晶体嚢との間のサイズ不整合につながる可能性がある。水晶体を除去して眼内レンズを埋め込んだ後の眼に生じ得る変化は、水晶体嚢に対する変化を含む。水晶体嚢に対する変化の例として、水晶体嚢の収縮（線維化反応を特徴とする）、水晶体嚢の硬化、水晶体嚢の成長、水晶体嚢の厚化又は薄化、なんらかの種類の水晶体嚢の治癒反応、治癒又は剥離嚢切開（ｔｏｒｎ  Ｃａｐｓｕｌａｒｈｅｘｉｓ）、細長嚢切開（ｏｂｌｏｎｇ  ｃａｐｓｕｌａｒｈｅｘｉｓ）による水晶体嚢の膨張等が挙げられるが、これらに限定されるものではない。水晶体嚢の収縮について本願では主に述べるが、眼内レンズは、埋め込み後の水晶体嚢に対する他の種類の変化を考慮するようにも適合可能である。
【００５６】
本開示は主に、“調節式眼内レンズ（ＡＩＯＬ，ａｃｃｏｍｍｏｄａｔｉｎｇ  ｉｎｔｒａｏｃｕｌａｒ  ｌｅｎｓ）”について言及するものであり得るが、その実施形態及び方法はＡＩＯＬに限定されるものではなく、適切な非調節式眼内レンズ（まとめて“ＩＯＬ”とする）にも適用可能である。従って、本願において“眼内レンズ”、“ＩＯＬ”、“調節式眼内レンズ”、“ＡＩＯＬ”とは、非調節式眼内レンズ及び／又は調節式眼内レンズを指称しているものでもあり得る。従って、本願において“レンズ”とは、非調節式眼内レンズ及び調節式眼内レンズの両方を含み得る。しかしながら、一部実施形態では、水晶体嚢の不整合及び／又は水晶体嚢の応答の両方を考慮して、毛様体筋の収縮及び緩和に応答して調節を行う調節式眼内レンズについて具体的に説明する。
【００５７】
患者の水晶体嚢の中にＩＯＷを埋め込む前において、一般的には水晶体嚢が測定される。水晶体嚢、又は水晶体嚢の性質（例えば直径）が測定されると、埋め込み用に適切なサイズのＩＯＬが選択される。一部実施形態では、適切なＩＯＬが、複数のＩＯＬのキットから選択され、その各ＩＯＬは、特定の水晶体嚢のサイズ用に異なる直径サイズ（測定又は見積もられたもの）を有する。キットを用いる代替例は、水晶体嚢の測定に基づいて所望の直径を備えたＩＯＬを設計することである。しかしながら、代替実施形態（後述する）では、水晶体嚢の直径を測定することが必要でなくなり得る。以下で説明される一部眼内レンズは、水晶体嚢の直径を測定する必要がなく、サイズ不整合及び／又は埋め込み後の生じ得る変化を自動的に考慮するように構成される。水晶体嚢の直径を測定する必要なしにこれらの問題を考慮することができる眼内レンズを提供することは、埋め込み手順全体を単純化することによって顕著な利点を提供する。
【００５８】
図３〜図５は、調節式ＩＯＬ１０の単に例示的な実施形態を示し、その調節式ＩＯＬ１０については、２００８年７月２２日出願の同時係属米国特許出願第１２／１７７８５７号（参照として本願に組み込まれる）により詳細に説明されている。ＩＯＬ１０は、ハプティック１２及び１４を備えた周辺の非光学部分を含む。また、ＩＯＬは、前方レンズ素子１６と、アクチュエータ２０を備えた中間層１８と、基板又は後方素子２２とを含む。ハプティック１２及び１４の内面は、後方素子２２及び中間層１８によって画定されるアクティブチャネル２６と流体的に連結している内部ボリューム２４を画定する。図示されるように、アクチュエータ２０は中間層１８に集積される。ハプティックは、バトレスボア（ｂｕｔｔｒｅｓｓ  ｂｏｒｅ，支持孔）１３内にフィットするようなサイズ及び形状にされたハプティック取り付け素子１５（硬質又はフレキシブルであり得る）を有する。接着層を、ハプティック取り付け素子の外面及び／又はバトレスボアの内面に適用することができて、ハプティックを光学部分に取り付けることを容易にする。ＩＯＬは、ハプティック及びアクティブチャネル内にシリコーンオイル等の第一の変位可能媒体を含む。ＩＯＬは、前方素子１６及び中間層１８によって画定されたパッシブチャンバ２１も含む。パッシブチャンバは、第二の変位可能媒体（例えば、流体、エラストマ等）を含み、その第二の変位可能媒体は、ハプティック及びアクティブチャネル内の媒体と同じであるか、異なる変位可能媒体であり得る。図示されるように、アクティブチャネル及びパッシブチャンバは、流体的に連結されていない。一部実施形態では、両方の変位可能媒体がシリコーンオイル等の流体である。
【００５９】
ＡＩＯＬ１０が水晶体嚢（図示せず）に埋め込まれた後に、毛様体筋の動きに応答したハプティック１２及び１４の変形が、内部ボリューム２４とアクティブチャネル２６との間で変位可能媒体を変位させる。変位可能媒体がハプティックからアクティブチャネル内に変位すると、アクティブチャネル内の圧力が、パッシブチャンバ内の圧力に対して相対的に増大して、アクチュエータ２０を前方方向に偏向させる。これによって、前方素子１６の曲率を変化させることによって、この調節された構成におけるＩＯＬの屈折力を増大させる。
【００６０】
図６は、例示的なＡＩＯＬの光学部分の部分断面図（ハプティックは図示せず）であり、非調節状態（破線）及び調節状態（実線）における光学部分の略半分を示す。ＡＩＯＬは、前方素子７４と、アクチュエータ７３を含む中間層７８と、後方素子７５を含む。アクチュエータ７３は、偏向素子７１及びベローズ７０で構成される。アクティブチャネル７２内の圧力が増大すると、ベローズ７０は、非調節状態の略円錐形状から調節状態の曲線構成へと構成を変える。偏向素子７１は、アクティブチャネル内の圧力の増大に起因して前方方向に押される。これによって、図６の調節状態（実線）に示されるように、前方素子７４も前方方向に偏向して、前方素子の曲率を急勾配にすることによって、レンズの屈折力を増大させる。
【００６１】
一部実施形態では、埋め込まれるＩＯＬの直径が、レンズの光学部分の直径、ＩＯＬの周辺部分のサイズ、又は両者の組み合わせを変更することによって、決められ得る。例えば、ＩＯＬの直径は、ハプティックの寸法を変更することによって変更可能である。
【００６２】
一部実施形態では、ＩＯＬのサイズの適切性は、ＩＯＬの外寸に依存しない（又は少なくとも完全には依存しない）。こうした実施形態では、調整可能なＩＯＬの例示的な代替側面には、ＩＯＬの内寸又はＩＯＬの特定の構成要素の寸法、ＩＯＬの製造方法（例えばＩＯＬの多様な構成要素を結合する方法）、ＩＯＬの少なくとも一部分内に配置された変位可能媒体の体積等が含まれるが、これらに限定されるものではない。しかしながら、ＩＯＬの外寸は、ＩＯＬの他の側面を更に調節する間に変更され得る。
【００６３】
図７は、図３〜図６の実施形態の光学素子が、水晶体嚢のサイズ／レンズのサイズの不整合、及び／又は、埋め込み後の眼内の変化を考慮するように調節される実施形態を示す。図７は、非調節性の構成のＩＯＬ５０例示的な実施形態の断面図を示す（ハプティックは図示せず）。図７のＩＯＬと図３〜図６のものとの間の違いの一つは、流動性媒体が偏向素子５５に向けて変位している全時間にわたって、アクチュエータ５３の偏向素子５５が前方素子５９に接触していないことである。図７の実施形態では、アクティブチャネル内の流体圧力が最初に変化し始めても、偏向素子５５は前方素子５９に接触していない。図７は、非調節性の構成を表すものであり得て、この場合、ＩＯＬがその非調節性の構成である際に、偏向素子５５は前方素子５９に接触していない。図３〜図６に示されるＩＯＬの偏向素子は、レンズが埋め込まれると、前方素子に少なくとも部分的に接触し、更には結合され得る。図７のＩＯＬは、偏向素子５５と前方素子５９との間の距離によって画定されるデッドゾーン５８を備えて示されている。この実施形態では、埋め込み用に適切なサイズのＩＯＬを提供するように変更されるＩＯＬの側面は、デッドゾーンの長さである。レンズの他の内寸も調整可能である。
【００６４】
図７の実施形態及び本願で説明される他の実施形態において、ＡＩＯＬの屈折力は、ＡＩＯＬに対する水晶体嚢の力に応答して非線形に変化する。つまり、ＡＩＯＬに対する仮想的な屈折力対水晶体嚢の力のプロットの傾斜は、ＡＩＯＬに対する水晶体嚢の力の全範囲にわたって一定ではない。一般的に、仮想的なプロットの傾斜は、水晶体嚢の力が増大するのと共に、増大する。水晶体嚢の力は、調節性の応答、サイズの不整合、埋め込み後の水晶体嚢の変化等によるものであり得る。ＡＩＯＬは、なんらかの種類の非線形応答を有し得る。例えば、その応答は、複数の離散的な段階において生じると考えられる。各離散的な段階は、増大する水晶体嚢の力に応答して均一な屈折力の変化を有し得る。しかしながら、一部実施形態では、離散的な段階は均一な屈折力の変化を有さない。一部眼内レンズの応答は、複数の離散的な段階において生じるのではなくて、屈折力の変化が、増大する水晶体嚢の力に対して連続的であると考えられる。一部応答は、一以上の離散的な段階を含む連続的に増大する屈折力の組み合わせであると考えられる。他の全ての種類の非線形応答も本願に含まれる。
【００６５】
一部実施形態では、ＡＩＯＬは、水晶体嚢の再成形に応答した第一の屈折力変化フェイズと、更なる水晶体嚢の再成形に応答した第二の屈折力変化フェイズとを経るものであり、その第一のフェイズ中の屈折力の変化が、第二のフェイズ中の屈折力の変化と異なる。本願において、“フェイズ”との用語は、ＡＩＯＬの応答全体において離散的なステップを指称することを意図したものではない。本願において、“フェイズ”とは、一般的にＡＩＯＬの非線形応答の一部分を指称するものであるが、非線形応答全体を含みこともある。一般的に、フェイズ、又は応答の一部分（任意に決定可能）は、ＡＩＯＬの屈折力の変化に関係するものである。つまり、フェイズの屈折力の変化は、フェイズの終わりとフェイズの初めとの間の屈折力の差である。一般的に、非線形応答の第一のフェイズ中のＩＯＬの屈折力の変化は、少なくとも非線形応答の第二のフェイズ中の屈折力の変化よりも小さい。つまり、屈折力の変化の傾斜は、一定ではなくて、非線形応答中の少なくとも或る点において増大する。一部実施形態では、第一のフェイズ中の屈折力の変化は実質的にゼロであり、第一のフェイズ中のＩＯＬの屈折力が実質的に変化しない。他の実施形態では、第一のフェイズ中の屈折力の変化は実質的にゼロではないが、第二のフェイズ中の屈折力の変化よりも小さい。第一の屈折力中の屈折力の変化は、第二のフェイズ中の屈折力の変化よりも実質的に小さいものであり得る。
【００６６】
図８〜図１０は、デッドゾーンを備えた例示的なＩＯＬ（ハプティックは図示せず）の光学部分の構成の変化の側断面図を示す。図８は、製造後及び理論的には水晶体嚢内への埋め込み直後の初期構成のＩＯＬを示す。図１０は、完全に調節された構成のＩＯＬを示し、図９は、アクチュエータが前方素子に接触している構成を示す。ＩＯＬ３００は、前方素子３０２と、中間層３０４（アクチュエータの偏向素子３１２を含む）と、後方素子３０６とを含む。偏向素子３１２及び前方素子３０２は、デッドゾーン又はギャップ３１０を画定する。
【００６７】
アクティブチャネル３０８内又はパッシブチャンバ３１４内にほとんど又は全く圧力がないと、その幾何学的形状及びパッシブな流体状態は、デッドゾーン３１０が偏向素子３１２と前方素子３０２との間に存在するようなものである。図３〜図６に関して上述したように、アクティブチャネル３０８内の流体圧力の増大（ハプティックからアクティブチャネル３０８に向けての媒体の変位に起因する）によって、偏向素子３１２が前方方向に変形する（図６に示される変形と同様）。しかしながら、偏向素子３１２が、前方素子３０２に直接接触していないので（つまり、両者の間にデッドゾーンが存在するので）、初めは、力が偏向素子３１２から前方素子３０２に直接伝わらない。従って、アクティブチャネル内の圧力の所定の初期増加に対しては、前方素子に伝えられる力の量は、図７〜図１１に示される実施形態よりも、図３〜図６に示される実施形態において大きい（個々のＡＩＯＬは、他の全ての側面において同様に製造されているものとする）。デッドゾーンによって、ＡＩＯＬは、水晶体嚢の力に応答して構成を変化させることができて、増大する水晶体嚢の力に応答した屈折力の変化が非線形になる。この実施形態の構成の変化は、偏向素子３１２の変形である。この実施形態では、ＡＩＯＬの光学部分は、ＡＩＯＬに対して作用する水晶体嚢の力に応答して構成を変化させる。
【００６８】
アクティブチャネル３０８内の圧力が増大し続けると、偏向素子３１２は前方方向に偏向し続けて、図９に示される構成のように、前方素子３０２に接触する。アクティブチャネル３０８内の圧力が増大し続けると、偏向素子３１２は前方方向に偏向し続けて、前方素子３０２の一部分に直接的な力を印加する（そして、偏向素子が偏向し続ける限り力を印加し続ける）ことによって、前方素子３０２を前方方向に偏向させる。これは、前方素子３０２の曲率を変化させることによって、ＩＯＬの屈折力を増大させる。
【００６９】
一般的に、レンズの屈折力の変化は、図８と図９との間においてよりも、図９と図１０との間において大きい。つまり、レンズの屈折力は、偏向素子が前方素子に接触する前よりも、偏向素子が前方素子に接触した後においてより大きく変化する。このようになるのは、前方素子の曲率の変化が、図８と図９との間よりも、図９と図１０との間において実質的に大きいからである。デッドゾーンは、水晶体嚢の再成形に対するＡＩＯＬの屈折力の応答が線形ではないように例示的なレンズを構成することができる方法の一つである。図８〜図１０の実施形態では、レンズの屈折力の変化は、偏向素子が前方素子に接触した後の方が大きい。
【００７０】
初期の水晶体嚢の力に応答して少なくともある程度の屈折力の増大を有することには、生理学的な利点があり得る。例えば、調節効果が所望の屈折力をもたらすために始まっていると脳に知らせることが有利となり得る。
【００７１】
使用の際には、水晶体嚢を測定した後に、ＡＩＯＬ３００を、埋め込み後に、デッドゾーン３１０が、ＡＩＯＬ３００周辺での水晶体嚢の収縮及び／又はＡＩＯＬ３００と水晶体嚢との間のサイズの不整合を考慮するように、選択可能である。従って、水晶体嚢の収縮及び／又はサイズの不整合によって、ＡＩＯＬを図９に示されるような構成に変化させ得る。ＡＩＯＬの屈折力の変化は非線形であり、永久的な近視寄りが防止されるか少なくとも最小化されるようになる。また、ＡＩＯＬ３００は、毛様体筋の動きに応答して図１０に示される完全に調節された構成へと調節され得る。
【００７２】
一部実施形態では、前方素子は、非調節の構成（図８）において略球形であり、アクティブチャネル内の圧力が増大し始めるとすぐに非球形になる。こうした実施形態では、図８〜図１０を参照すると、レンズが図８に示される構成から図９に示される構成に向けて転移し始めるとすぐに、前方素子は非球形になる。しかしながら、前方素子は、図１０よりも図９の構成においてはあまり球形ではない。また、前方素子の曲率の変化率は、図９と図１０との間よりも、図８と図９との間において小さい。従って、レンズが図８及び図９の間で構成を変化させると、レンズの屈折力は増大する。しかしながら、この変化は、図８及び図１０の構成間の全体的な屈折力の変化と比較すると、比較的顕著ではない。
【００７３】
しかしながら、一部実施形態では、前方表面が、非調節の構成において球形であり、偏向素子が前方素子に接触するまで球形（又は実質的に球形）のままである。こうした実施形態では、図８〜図１０を参照すると、前方素子は、図８及び図９において少なくとも略球形であり、レンズが図９から図１０へと構成を変化させると、非球面になる。偏向素子と前方素子との間の接触が生じた後に、前方素子が前方方向に偏向されて、前方素子が非球面になる。
【００７４】
一部実施形態では、アクティブチャネル内の圧力が増大し続けると（偏向素子が前方素子に接触する前又は後のいずれか）、アクチュエータが、前方方向に偏向し続ける。前方素子に対する相対的な偏向素子のサイズに起因して、パッシブチャンバ３１４内の流体が再分配して、前方素子の非球面効果を生成する。これは、小さな開口に対して、ＩＯＬの屈折力を更に増大させる。
【００７５】
図８〜図１０に示される実施形態では、屈折力が図８の構成から図９において変化していて、初期力がＩＯＬに印加されると、ＡＩＯＬがより低い屈折力の変化率を提供し（図９）、追加の力が印加され続けるとより高い屈折力の変化率を提供する（図１０）。
【００７６】
デッドゾーン又は同様の目標を達成する他の特徴を含まない本願で説明されるＩＯＬの実施形態は、デッドゾーンを備えたＩＯＬよりも、水晶体嚢の再成形に応答してより線形に屈折力を変化させる（ＩＯＬの他の全ての側面は同じであり、水晶体嚢は同じサイズのものであるとする）。デッドゾーンの使用によって、患者に生じる近眼寄りの量を最小化しながら、初期力を水晶体嚢からＩＯＬに印加することができる。
【００７７】
使用時には、ＡＩＯＬが埋め込まれた後に、水晶体嚢の収縮及びレンズ／水晶体嚢のサイズの不整合が、ＡＩＯＬの構成を変化させ得る。場合によっては、水晶体嚢の収縮及びサイズの不整合が考慮された後であっても、ＡＩＯＬの非調節の構成が、デッドゾーンを有したままであり得る（図８を参照）。つまり、ＡＩＯＬに印加される水晶体嚢の力が、ＡＩＯＬを図９に示される構成に完全には再構成していない。こうした実施形態では、デッドゾーン（又は他の同様の作用の特徴）の使用は、複数の種類の又はフェイズの調節を生じさせるものと考えられる。例えば、毛様体筋の動きからの略線形な調節性応答ではなくて、応答が、非線形となる。これは、レンズの屈折力の変化率の変更を意味する。例えば、図７〜図１０に関して上述したように、水晶体嚢に印加される初期力は、偏向素子の変形をもたらすが、相対的に小さな調節をもたらすか、実質的に調節をもたらさない（つまり、比較的小さなレンズの光学変化をもたらすか、実質的にレンズの光学変化をもたらさない）。これは、第一の種類又はフェイズの調節と見なされる。しかしながら、偏向素子が前方素子に接触した後では、調節性の応答が増大する（つまりその率が増大する）。これは、第二の種類又は第二のフェイズの調節と見なされる。更に、一つ以上の転移又は中間の調節レベルが、二つの種類の調節の間に存在し得る。つまり、偏向素子が前方素子に接触し始めると生じる転移期間が、第一の種類の調節のより大きな調節をもたらし得るが、第二の種類の調節よりは小さい。デッドゾーンを使用した多数の種類又はフェイズの調節が存在し得るので、上記例は単に例示的なものである。
【００７８】
デッドゾーンの長さの調整によって、所定の量の水晶体嚢の力に応答して、ＩＯＬの屈折力の率の変化を制御することができる。例えば、図７のＩＯＬ５０は、図１１に示されるＩＯＬ６０のデッドゾーン６８よりも小さなデッドゾーン５８を有する。ＩＯＬ５０及びＩＯＬ６０が全く同じサイズ（ＩＯＬの他の全ての側面も等しい）の水晶体嚢内に配置されると、水晶体嚢からハプティックに印加される力によって、偏向素子６５が前方素子６９に接触するのよりも早く、偏向素子５５が前方素子５９に接触する。これによって、前方素子５９が、前方素子６９よりも完全に偏向する。従って、非調節の構成から調節された構成へのＩＯＬ５０の屈折力の変化は、ＩＯＬ６０の屈折力の変化よりも大きい。また、屈折力の変化率も、ＩＯＬ６０よりもＩＯＬ５０において大きい。
【００７９】
代わりに、ＩＯＬ５０及び６０のそれぞれにおける非調節状態と調節状態との間の屈折力の差は、実質的に同じであり得る。例えば、ＩＯＬ６０は、前方素子の偏向の遅延が存在するように構成可能であるが、一旦偏向素子が前方素子に接触すると、ＩＯＬ６０に対する屈折力の率の変化は、ＩＯＬ５０における屈折力の率の変化よりも大きくなり、両者の前方素子が同じ量だけ完全に偏向する結果となる。
【００８０】
上述のように、水晶体嚢のサイズは、患者毎に異なり得て、更には眼毎に異なり得る。水晶体嚢に対して大き過ぎるＩＯＬが埋め込まれると、その水晶体嚢は、永久的な力をハプティックに印加し得て、これは、アクティブチャネル内の圧力を増大させ、レンズの屈折力を増大させ得る。従って、患者は、永久的な近視寄りを発症し得る。代わりに、ＩＯＬが小さ過ぎると、不十分な又は非効率な調節が生じ得る。これを考慮するため、測定された水晶体嚢のサイズに基づいた所望のデッドゾーンを備えたＩＯＬを、水晶体嚢内に埋め込むことができる。例えば、水晶体嚢が測定されて、例えば略９．７ｍｍ等の比較的小さな直径を有する場合、水晶体嚢はＩＯＬに近視寄りをもたらし得る力を印加し得る。これを考慮するため、ＩＯＬは、図１１に示されるＩＯＬ等の比較的大きなデッドゾーンを備えるように選択され得る。より大きなデッドゾーンによって、より大きな力が水晶体嚢からＩＯＬに印加されるが、比較的小さな調節（調節の後続期間と比較して）がもたらされるか、実質的に調節がもたらされない。埋め込みの際には、小さな水晶体嚢は、毛様体筋の収縮がなくても、ＩＯＬに力を印加する傾向があるが、デッドゾーンによって、前方素子を接触させずに、アクチュエータを変形させる。これは、直接的な力が、アクチュエータから前方素子に印加されることを防止して、比較的小さな屈折力の変化をもたらすか、実質的に屈折力の変化をもたらさない。従って、近視寄りが防止されるか、少なくとも低減される。また、ＡＩＯＬは、上述のように毛様体筋の動きに応答して調節を行い得る。
【００８１】
代わりに、水晶体嚢が測定されて、例えば略１１．３ｍｍの比較的大きな直径を有する場合、ＩＯＬの外径は、ＩＯＬと水晶体嚢との間の良好なフィットを提供するには十分に大きくないことがあり、その水晶体嚢が、ＩＯＬの十分な屈折力の変化を生じさせることなく、毛様体筋の収縮に応答して構成を変化させ得る。これを考慮するため、図７に示されるＩＯＬ５０等のより小さなデッドゾーンを備えた（又は存在しない）ＩＯＬが選択され得る。比較的大きな水晶体嚢に埋め込まれると、水晶体嚢からＩＯＬに伝えられる力が、より短いデッドゾーンによって、屈折力をより素早く（及びより大きな率で）変化させる。言い換えると、同じ水晶体嚢に配置される場合、水晶体嚢からＩＯＬに印加される力は、より大きなデッドゾーンを備えたＩＯＬよりも前方素子のより効率的な偏向をもたらす。
【００８２】
使用時には、略±３００マイクロメートル以上の精度で水晶体嚢を測定することが非常に難しく、また、水晶体嚢の直径が略１．５ｍｍほど小さなサイズから大きなサイズへと変化し得るので、水晶体嚢に対してＩＯＬが大き過ぎて、大きくて永久的な近視寄りがもたらされるという危険性が常に存在する。こうした危険性を考慮するために、本願で説明されるデッドゾーンを使用することができる。例えば、１０ユニットの収縮力を印加することができる水晶体嚢は、理論的には線形に１０ディオプトリの調節を生じさせる。これは理想的なものであり、近視寄りの危険性が常に存在し得る。従って、水晶体嚢の力に対するＩＯＬの応答を非線形にすることがより安全となり得る。例えば、ＩＯＬは、最初の４ユニットの力がほとんど又は全く調節を生じさせず、次の６ユニットが完全な１０ディオプトリの調節を生じさせるように設計され得る。この例では、ＩＯＬは、４ユニットのデッドゾーンを備えるように設計される。ＩＯＬが水晶体嚢に対して大き過ぎて、水晶体嚢がＩＯＬに対して永久的な力を与える場合、ＩＯＬに対する力が４ユニットを超えるまでは、レンズの屈折力はシフトせず、又は比較的小さくシフトする。デッドゾーンが、ＩＯＬと水晶体嚢との間のサイズ不整合に起因する永久的な力を考慮するのに十分大きいことを保証することによって、近視寄りを防止又は少なくとも最小化することができる。
【００８３】
代わりに、水晶体嚢が、１０ユニットの寸法の変化（１０ユニットの力とは対照的に）を提供するとして、理論的には１０ディオプトリの調節を生じさせることができる。上記例と同様に、４ユニットの寸法の変化は、サイズ不整合及び／又は水晶体嚢の収縮を考慮することができる。この例では、水晶体嚢によって印加される力は、その寸法ほどは問題とならない。
【００８４】
また、上述のような非線形な屈折力シフト応答を備えたレンズを選択することによって、レンズの埋め込み後に生じ得る水晶体嚢の収縮に適合することもできる。水晶体嚢は、ＩＯＬ付近での収縮によって頻繁に自然に応答していて、上述のようなレンズに対する永久的な力を発生している。収縮時には、水晶体嚢の再成形が、ＩＯＬの屈折力の変化を生じさせて、眼の永久的な近視寄りをもたらし得る（毛様体筋が収縮していなくても）。レンズにデッドゾーンを組み込んで、水晶体嚢の力に応答して比較的小さな調節を提供するか実質的に調節を提供しないことによって、永久的な近視寄りを最小化又は防止しながら、水晶体嚢が、この自然な治癒プロセスを経るようにする。
【００８５】
一部実施形態では、各レンズが異なるデッドゾーンの長さを有する複数のレンズのキットを使用する。水晶体嚢を初めに測定して、その測定に基づいて、特定のレンズを選択する。デッドゾーンを変化させることの追加的な利点の一つは、レンズの外寸を調節する必要がない点である。しかしながら、代わりに、キットは各種外寸（例えば外径）を備えた複数のレンズを含み得て、所定の外寸に対して、キットは、各種デッドゾーンを備えた複数のレンズを含み得る。これによって、最も適切なサイズのＩＯＬを選択する更なる選択肢が提供可能である。
【００８６】
一部実施形態では、水晶体嚢のサイズが所定の低閾値以下であると測定されると、第一のデッドゾーンを備えたＩＯＬを使用することができ、水晶体嚢のサイズが所定の高閾値以上であると測定されると、デッドゾーンを備えないＩＯＬ（又は第一のデッドゾーンよりも小さな第二のデッドゾーンを備えたＩＯＬ）を使用することができる。ＩＯＬが水晶体嚢に対して大き過ぎるという危険性がほとんど又は全くない場合には、デッドゾーンを備えないＩＯＬを使用することが望ましくなり得る。
【００８７】
本願で説明される例示的なＩＯＬのデッドゾーンの長さを変更する方法は多数存在する。デッドゾーンを調整する方法の一つは、偏向素子の（レンズの光路に沿った）軸長（ａｘｉａｌ  ｌｅｎｇｔｈ）を調整することである。例えば、図７の実施形態の偏向素子５８は、図１１の実施形態の偏向素子６５の軸長“ＡＬ”よりも長い軸長“ＡＬ”を有する。一部実施形態では、デッドゾーンの軸長は略０マイクロメートルから４００マイクロメートルの間である。偏向素子は、特定の軸長を有するように型の中で硬化させたポリマーであり得て、代わりに、偏向素子は、硬化後により短い軸長へと機械加工され得る。
【００８８】
デッドゾーンを変更する代替方法は、パッシブチャンバ内の変位可能媒体の体積を調整することである。パッシブチャンバ内の変位可能媒体の体積を増大させることは、デッドゾーンを増大させる。これが生じる理由は、パッシブな変位可能媒体の量を増大させることは、アクチュエータに対する後ろ向きの力及び／又は前方素子に対する前向きの力を増大させることによって、アクチュエータと前方素子との間の距離を増大させるからである。同様に、パッシブな変位可能媒体の体積を減少させることは、デッドゾーンを減少させる。
【００８９】
同様に、アクティブチャネル内の流体の体積を調整して、デッドゾーンを調整することができる。
【００９０】
また、デッドゾーンは、前方素子の厚さ（つまり軸長）を変更することによっても調整可能である。前方素子の軸長を減少させることは、デッドゾーンを増大させる一方、前方素子の軸長を増大させることは、デッドゾーンを減少させる。また、デッドゾーンは、本願で説明されるＩＯＬ素子のいずれかを変更することによっても調整可能である。
【００９１】
上述の実施形態では、ＩＯＬの光学部分の一部が、水晶体嚢の力に応答した構成の変化を経る。後述のように、デッドゾーンの代わりの（又は追加の）特徴をＩＯＬに組み入れて、非線形応答の第一の部分中に変形する又は構成を変化させる機能を備えたシステムを提供すること又はその提供を補助することができる。
【００９２】
図１２は、水晶体嚢のサイズの可変性及び／又は埋め込み後の眼又は眼内レンズの変化を考慮し、毛様体筋の動きに応答して調節を行う眼内レンズの変形例を示す。眼内レンズ１００は、前方素子１０２と、中間素子１０４と、後方素子１０６とを含む光学部分を含む。前方素子１０２及び中間素子１０４はパッシブチャンバ１１０を画定し、中間素子１０４及び後方素子１０６はアクティブチャネル１０８を画定する。ハプティック１１２は、アクティブチャンバ１１６及びパッシブチャンバ１１４を含む。パッシブチャンバ１１０は、第一の変位可能媒体（液体等）を収容し、パッシブチャンバ１１４と流体的に連結していて、アクティブチャネル１０８及びアクティブチャンバ１１６が流体的に連結していて、第二の変位可能媒体を収容する。図１２では、中間層が前方素子１０２と接触しているものとして示されているが、レンズは、前方素子１０２と中間素子との間にギャップを有するようにも製造可能である（上述の例のように）。
【００９３】
眼内レンズ１００が水晶体嚢１２４内に配置された後で（図１３を参照）、水晶体嚢は、治癒反応を経て、埋め込まれた眼内レンズ周辺で収縮して、図１３に示される矢印の方向で眼内レンズに対して力を印加し得る。代わりに又は追加的に、水晶体嚢は、水晶体嚢のサイズの決定から求められたものよりも小さなものであり得る（つまり、眼内レンズと水晶体嚢との間にサイズの不整合が存在する）。サイズの不整合に基づいて、水晶体嚢は、眼内レンズに対して同様の力を印加し得る。水晶体嚢が図１３に示されるように眼内レンズに対して力を印加すると、アクティブチャンバ１１６／アクティブチャネル１０８とパッシブチャンバ１１４／パッシブチャンバ１１０との間の連結は、アクティブチャネル１０８及びパッシブチャンバ１１０内の圧力を実質的に等しく保つ（又は圧力間の差を少なくとも最小化する）。アクティブチャネル１０８内の圧力がパッシブチャンバ１１０内の圧力に対して相対的に増大する際に眼内レンズの屈折力が一般的には増大するので、圧力を実質的に同じに保つことによって、屈折力の変化を生じさせずに（又は屈折力の変化を少なくとも最小化させて）、眼内レンズが、水晶体嚢の収縮及び／又は患者の水晶体嚢と眼内レンズとの間のサイズの不整合を考慮することができる。つまり、水晶体嚢の収縮及び／又はサイズの不整合による水晶体嚢の力が生じた際に、レンズが非調節の構成を実質的に保つ。
【００９４】
また、眼内レンズ１００は、毛様体筋が動いている間に生じる調節も可能にする。小帯は水晶体嚢から略半径方向に延伸し（図２Ａ及び図２Ｂを参照）、毛様体筋の緩和中の水晶体嚢に対する小帯の力が図１４に概略的に示されている。毛様体筋の収縮中に、小帯の張力は減少する。小帯の半径方向の伸長によって、水晶体嚢が半径方向にハプティックを圧縮することができて、パッシブチャンバ１１２／１１０内（半径方向の圧縮によって比較的影響されない）よりもアクティブチャネル１１６／１０８内においてより大きな圧力変化を生じさせる。パッシブチャンバ１１０に対する相対的なアクティブチャネルの圧力の増大によって、上述のように中間素子１０４が変形させられる。中間体１０４の構成の変化が、前方素子１０２の曲率を変化させることによって、レンズの屈折力を変化させる。眼内レンズ１００は、毛様体筋の動きに関連する半径方向の小帯の動きを、埋め込み後の水晶体嚢のサイズの不整合又は水晶体嚢の収縮に関連する他の水晶体嚢の力から分離する一つの例示的な方法を示す。
【００９５】
図１５及び図１６は、全ての（又は実質的に全ての）異なるサイズの水晶体嚢にフィットし、且つ、毛様体筋の動きによって生じるのではない水晶体嚢の力を考慮すると考えられる一つのサイズのレンズであると考えられる眼内レンズの一変形例を示す。この実施形態及び同様の実施形態では、ハプティックは、半径方向に水晶体嚢を伸ばすように設計されている。図１５は、水晶体嚢１３０に埋め込まれる眼内レンズの相対的なサイズを示し、図１６は、水晶体嚢１３０内に埋め込まれて、ハプティックのサイズを調節するようにその水晶体嚢１３０を伸ばしている眼内レンズを示す。この実施形態では、ハプティック１３２は、水晶体嚢よりも硬い領域１３６を有する。この実施形態では、各ハプティック１３２は、水晶体嚢よりも硬い前方及び後方領域１３６を有する。また、各ハプティックは、領域１３６よりも硬くなく一部実施形態では水晶体嚢と略同じ硬さの赤道領域１３８も含む。
【００９６】
水晶体嚢よりも硬いハプティックの部分は、全ての（又は実質的に全ての）水晶体嚢を、そのサイズに関わりなく伸ばすように構成される。従って、レンズが埋め込まれると全ての水晶体嚢が伸ばされるので、眼内レンズは、患者の水晶体嚢のサイズに対して比較的独立したものになる。しかしながら、領域１３６よりも硬くない赤道領域１３８によって、水晶体嚢に対する小帯の力が変化している際の毛様体筋の運動中において、レンズの屈折力を調節することができる。小帯は軽量のバネなので、眼内レンズが水晶体よりも大きい又は小さい場合であっても、毛様体筋が眼内レンズ内の圧力変化を生じさせることができる。この実施形態は、水晶体嚢のサイズには本質的に敏感ではないが、毛様体筋の動きには感度が高い眼内レンズを提供する。
【００９７】
一部実施形態では、ハプティックは、小帯に接触しない領域において硬質であり、小帯に接触する領域において柔軟である。図１７は、ハプティック１４０が水晶体嚢と比較して硬質である第一の領域１４４を含む眼内レンズの一変形例を示す。第一の領域１４４の硬さは、例えば、壁の厚さ、壁の幾何学的形状、物質の選択等によって制御可能であるが、これらに限定されるものではない。第一の領域１４４は、小帯に接触しない領域内（又は実質的に小帯に接触しない領域内）に配置されるようにして、水晶体嚢内部に置かれる。ハプティック１４０の第二の領域１４６は第一の領域１４４よりも弾力的であり、図１７において、第二の領域１４６は、第一の領域１４４の厚さ以下の厚さを有することによってより弾力的にされている。第二の領域１４４は小帯に接触する領域内に存在するので、毛様体筋の運動中の小帯の張力に応答するようにより弾力的にされる。弾力性は、例えば壁の厚さ、壁の幾何学的形状、物質の選択等によって調整可能であるが、これらに限定されるものではない。
【００９８】
図１８は、ハプティックが水晶体嚢よりも硬い硬質な固体リング１５０と、水晶体嚢よりも硬い第一の領域１５２と、第一の領域１５２よりも硬くない第二の領域１５４とを含む一変形例である。第二の領域１５４は、水晶体嚢内部の小帯と接触する領域内に大体配置されて、リング１５０及び第一の領域１５２は、小帯に接触しない領域内に大体配置される。硬質な固体リング１５０は、領域１５２及び１５４によって画定される流体で充填されたハプティックからは完全に別のものであり得る。硬質な固体リングは、例えば、ＰＭＭＡ、チタン、ニッケルチタン等の別の物質製でありえるが、これらの限定されるものではない。
【００９９】
図１９は、ハプティック１６０が水晶体嚢１６６内部の小帯に接触しない領域内に配置された第一の領域１６４と、小帯に接触する領域内に配置された第二の領域１６２とを含む代替例を示す。この実施形態では、第二の領域１６２は、第一の領域１６４よりも小さな壁の厚さを有する。ハプティックのこれら領域の硬質性は、本願で説明される方法及び他の方法で制御可能である。
【０１００】
半径方向の柔軟性を維持しながら（上述の実施形態のように）光軸に沿って水晶体嚢を伸ばすために使用することができる他の例示的な特徴として、例えばＩ型梁、輪の力を利用するリング等が挙げられる。
【０１０１】
図２０〜図２２は、眼内インプラントが水晶体嚢伸長フレーム１７０を含む一変形例を示す。フレーム１７０は、環状素子１７２及び支持部材１７４を含む。環状素子は水晶体嚢よりも硬質であり、例えば、ＰＭＭＡやニチノール製であり得るが、これらに限定されるものではない。支持部材１７４（二つ図示されているが、一つ又はそれ以上が使用可能である）は、環状素子１７２を互いに離れた固定距離に維持する。また、支持部材１７４は比較的硬質であり、環状素子１７２と同じ又は異なる物質製であり得る。フレーム１７０は、折り畳み可能であり、眼の切り口からデリバリーデバイスによって挿入可能である。必要であれば、その幾何学的形状を挿入を簡単にするために調整し得る。例えば、環状素子１７２を分割して、挿入用の細長のデリバリー用構成とすることができる。
【０１０２】
フレーム１７０が、水晶体嚢内に最初に配置される。フレーム１７０は、単一サイズのフレームが全ての種類の水晶体嚢を伸ばすようなサイズにされ得る。例えば、フレームは、略９ｍｍから略１０．５ｍｍの水晶体嚢の全ての患者がそのフレーム上に伸びるようなサイズにされ得る。フレームが水晶体嚢に対して相対的に硬いので、フレーム／水晶体嚢のシステムの幾何学的形状は、フレームの幾何学的形状によって支配されて決定される。水晶体嚢に挿入された単一サイズのフレームを有する全ての患者は、フレームの挿入前の略９ｍｍから略１０．５ｍｍのサイズではなくて、本質的にフレームのサイズである水晶体嚢を有する。図２１は、二つの異なる水晶体嚢１７６及び１７８に対する環状素子１７２を備えた単一サイズのフレームを示す。水晶体嚢１７６は水晶体嚢１７８よりも大きい。図２２は、フレームが水晶体嚢内部に配置された後の水晶体嚢１７６及び１７８両方のサイズを示す。ここでは、両方の水晶体嚢が、実質的に同じサイズ及び構成を有する。
【０１０３】
水晶体嚢が水晶体嚢伸長フレーム１７０によって伸ばされた後に、図２３に示されるように眼内レンズ１８０を水晶体嚢内部に配置する。レンズ／水晶体嚢の界面（図２３では水晶体嚢／ハプティックの界面）は、支持部材１７４に係合しないように配置可能である。水晶体嚢が水晶体嚢のサイズの範囲の上端にある場合であっても、バネのように機能する小帯は、張力のかかったままである。
【０１０４】
図２５は、眼が非調節となろうとする際に、水晶体嚢伸長フレーム１７０（環状素子１７２が示されている）の直径よりも大きな直径に水晶体嚢を引っ張っている小帯１９０を示す。図２４に示されるように、目が調節を行おうとすると（又は埋め込み後に水晶体嚢が収縮すると）、水晶体嚢伸長フレームは、ハプティック及びレンズが潰れたり、フレームによって決定される直径を超えて動作することを防止する。従って、水晶体嚢伸長フレームは、内部ハプティック止めとして機能することができて、レンズ又は他の水晶体嚢間デバイスに対して作用する水晶体嚢の赤道の機能を顕著に変化させずに、レンズ上への水晶体嚢の内側への動きを制限する性質を有する。
【０１０５】
図２６Ａ〜図２６Ｃはそれぞれ、三つの異なる水晶体嚢の断面図の上に置かれたＡＩＯＬの代替実施形態の断面図を示す。図２６Ａ〜図２６Ｃは、水晶体嚢及びＡＩＯＬの断面の相対的なサイズを示す。これらの図面において、前方方向“Ａ”は紙面の左側に大体向かい（角膜に向かう）、後方方向“Ｐ”は紙面の右側に大体向かう（網膜に向かう）。眼内レンズは、ハプティック２０２を含む周辺部分、及び後方素子２０４と中間素子２０６と前方素子２０８とを備えた光学部分を含む。眼内レンズは、図３〜図６に示される実施形態において説明したように、毛様体筋の動きに応答して調節を行う。
【０１０６】
ハプティック２０２は、そのハプティックが配置される水晶体嚢の周辺部分よりも大きくなるような形状及びサイズにされる。具体的には、この実施形態において、ハプティックの前方部分は、水晶体嚢よりも更に前方方向に延伸し、ハプティックの後方部分は、水晶体嚢よりも更に後方方向に延伸している。図３〜図６の実施形態に関して上述したように、フレキシブル材料を備えたハプティック２０２は、アクティブチャネル２１０と流体的に連結している内部チャンバを画定する。ハプティック２０２及びアクティブチャネル２１０内に配置された流動性媒体（流体等）は、フレキシブルなハプティックと水晶体嚢との間の相互作用に起因する水晶体嚢の再成形に応答して、変位する。ハプティック及び水晶体嚢の相対的なサイズに起因して、図２６Ａ〜図２６Ｃに示される眼内レンズが、図２６Ａ〜図２６Ｃに示されるいずれかの水晶体嚢に埋め込まれると、水晶体嚢の周辺部分はハプティックを受け入れるように再構成されるので、水晶体嚢は、その水晶体嚢がハプティックに係合する領域において、ハプティック２０２に力を印加する。追加の力が、埋め込み後の水晶体嚢の変化（例えば、水晶体嚢の収縮）に起因して、ハプティックスに更に印加され得る。
【０１０７】
ハプティック２０２と水晶体嚢２００との間のサイズの不整合、及び埋め込み後の水晶体嚢に対する変化の両方に起因して力がハプティックに印加される際に、ハプティックと水晶体嚢との間の係合、並びにハプティック２０２及び水晶体嚢２００のサイズ及び形状は、ハプティックとアクティブチャネルとの間の正味の流体の変位を実質的に提供しない。力がハプティックに印加されるが、その力は実質的にキャンセルされて、正味の流体の変位は実質的にもたらされない。正味の流体の動きを実質的に提供しないことは、アクティブチャネル２１０内に圧力増加を実質的にもたらさない。従って、図３〜図６に関して上述したように、前方素子２０８は、曲率の変化を実質的に受けないので、屈折力の変化が実質的に生じない。従って、ハプティックのサイズ及び形状は、眼内レンズの屈折力変化を最小化して、近視寄りを最小化する。それでも、眼内レンズは、図３〜図６に関して上述したように、毛様体筋の動きに応答して調節性の眼内レンズとして機能する。
【０１０８】
図２６Ａ〜図２６Ｃに示される実施形態では、ハプティックの上位及び下位部分（つまり図面の頂部及び底部）に与えられる力は、ハプティックの体積を増大させる傾向にあり、流体をハプティックに向けて変位させるので、レンズの屈折力を減少させる傾向にある。しかしながら、ハプティックの前方及び後方部分に対して与えられる力は、ハプティックの体積を減少させる傾向にあり、流体を光学系に向けて変位させて、レンズの屈折力を増大させる傾向にある。ハプティックは、ハプティックの頂部及び底部に印加される力が、ハプティックの側部に印加される力と実質的に等しくなるように、設計される。結果として、ハプティックの体積には実質的な変化が無いので、流体の動きが実質的に無い。この実施形態では、ハプティックは、水晶体嚢によってハプティックに対して印加される力が、ハプティックの体積の変化を実質的に生じさせず、眼内レンズの屈折力が変化することを実質的に防止するように、設計される。また、その原理は、水晶体嚢の力に応答して変形する周辺領域を有する非流体駆動の調節式眼内レンズにも応用可能である。レンズの屈折力が、埋め込み後の水晶体嚢のサイズの変化の不整合に応答して変化するように構成される方法に応じて、レンズの変形可能な周辺領域を、周辺領域に対して印加される正味の力が屈折力の変化を実質的にもたらさないように、構成することができる。
【０１０９】
ハプティック２０２は、図２６Ａ〜図２６Ｃに示されるように略長円又は楕円形の断面を有する。一部実施形態では、ハプティックの前方から後方までの厚さは略３．２ｍｍであり、ハプティックの幅は略１．２ｍｍであり、ハプティックの壁の厚さは略０．２ｍｍである。挙げられた寸法は限定的なものではない。一部実施形態では、水晶体嚢によって圧縮されているがまだ流体を動かしてはいない際の（つまり非調節の構成の）眼内レンズの直径は略９．１ｍｍである。
【０１１０】
図２６Ａでは、水晶体嚢２００は、９．８０ｍｍの直径“Ｄ”、４．２５ｍｍの厚さ“Ｔ”、１０ｍｍの前方の曲率半径“ＲＡ”、及び５．５３ｍｍの後方の曲率半径“ＲＰ”を有する。図２６Ｂでは、水晶体嚢は、９．８ｍｍの直径、４．２５ｍｍの厚さ、７．８６ｍｍの前方の曲率半径、及び６ｍｍの後方の曲率半径を有する。図２６Ｃでは、水晶体嚢は、１０．２１ｍｍの直径、４．２５ｍｍの厚さ、１０ｍｍの前方の曲率半径、及び６ｍｍの後方の曲率半径を有する。
【０１１１】
代替実施形態では、上述のデッドゾーンが、図２６Ａ〜図２６Ｃに示されるＡＩＯＬ内に組み込まれる。ハプティック２０２が、水晶体嚢の再成形に起因する屈折力のシフトを実質的に提供しない場合（毛様体筋の動きに起因する水晶体嚢の再成形を除く）であっても、水晶体嚢／ハプティックのサイズの不整合及び／又は埋め込み後の水晶体嚢の変化に応答して偏向素子に向かう流体の量が最小の場合には、デッドゾーンを組み込むことができる。デッドゾーンを、屈折力のシフトが実質的に無くなることに対する追加的な保証のために組み込むことができる。代わりに又は追加的に、デッドゾーンを図２６Ａ〜図２６Ｃに示されるレンズに組み込んで、上記で詳述したように、二フェイズの屈折力の変化を提供することができる。
【０１１２】
デッドゾーン、又は水晶体嚢の収縮若しくは水晶体嚢のサイズの可変性を考慮する他の特徴を含むように修正可能な代替例のＡＩＯＬは、米国特許第７１２２０５３号明細書、米国特許第７２６１７３７号明細書、米国特許第７２４７１６８号明細書、米国特許第７２１７２８８号明細書、米国特許第６９３５７４３号明細書、米国特許出願公開第２００７／０２０３５７８号明細書、米国特許出願公開第２００７／０１０６３７７号明細書、米国特許出願公開第２００５／０１４９１８３号明細書、米国特許出願公開第２００７／００８８４３３号明細書、２００８年７月２２日出願の米国特許出願第１２／１７７８５７号に見出すことができ、これら全ては参照として本願に組み込まれる。
【０１１３】
一部実施形態では、ＩＯＬの多様な構成要素（前方素子、中間層、後方素子等）が、一つ又は複数の適切なポリマー組成物製であり得る。一部実施形態では、光学構成要素が、実質的に同じポリマー材料製であり得る。ＩＯＬの構成要素に使用可能な例示的なポリマー組成物として、共同所有の同時係属中の２００８年２月２１日出願の米国特許出願第１２／０３４９４２号及び２００８年７月２２日出願の米国特許出願第１２／１７７７２０号に記載されているものが挙げられる。本願における“流動性媒体”には、シリコーンオイルが含まれるが、これに限定されるものではない。光学部分の全ての構成要素（アクティブな流動性媒体及びパッシブな流動性媒体を含む）は、実質的に屈折率整合されて、前方素子の前面及び後方素子の後面によって形成される略単一のレンズ素子を提供することができる。本願において“実質的に屈折率整合”とは、その構成要素が同じ屈折率を有することを意図されたＩＯＬ、及びその構成要素が実質的に等しい屈折率を有するＩＯＬのことを指称する。しかしながら、構成要素の一部は、異なる屈折率を有し得て、ＩＯＬ内部に追加的な界面を形成する。
【０１１４】
可能な限り材料の屈折率を近く整合させることが望まれる場合、二以上のシリコーンオイルをブレンドして、その二以上のシリコーンオイル個々のよりも、ポリマーの屈折率に近いブレンドされた屈折率を有する流動性媒体を形成することができる。この屈折率整合方法は、市販のシリコーンオイルが、ＩＯＬの構成要素用に使用されるポリマー組成物の屈折率に近いことは近いが、要望通りには近くない屈折率を有する場合に有用となり得る。一部実施形態では、ポリマーは所定の屈折率を有するように選択される。そして、二以上の流体を所望のパーセンテージでブレンドして、その流体が、ポリマーの屈折率に可能な限り近く整合した屈折率を有するようにする。
【０１１５】
ＩＯＬ内の流体（例えばシリコーンオイル）とポリマーとの間の屈折率整合を増強する更なる方法は、ポリマーが流体を（ある程度）吸収するようにポリマー及び流体を選択することである。一定量の流体を吸収することによって、結果としてのポリマーの屈折率が流体の屈折率に近づくので、流体とポリマーとの間の屈折率不整合が減少する。ポリマーがある程度のシリコーンオイルを吸収した後で、そのポリマーは、本質的にポリマー‐流体混合物となり、ポリマーの屈折率と流体の屈折率との間の屈折率を有する。
【０１１６】
本開示は、多様な水晶体嚢のサイズ及び／又は埋め込み後に生じる変化を考慮するレンズの設計及び選択を強調したものであったが、追加的な埋め込み後の修正を本願で説明されるレンズで用いることができる。例えば、以下の特許出願に開示される埋め込み後の修正方法又はレンズの特徴を用いて、埋め込み後のレンズの調整することができる：２００３年２月２日出願の米国特許出願第１０／３５８０３８号、２００４年１０月７日出願の米国特許出願第１０／８９０５７６号、２００６年８月２１日出願の米国特許出願第１１／５０７９４６号、２００８年７月２３日出願の米国特許出願第１２／１７８３０４号、２００３年２月６日出願の米国特許出願第１０／３６００９１号、２００３年８月１２日出願の米国特許出願第１０／６３９８９４号、２００５年１１月２１日出願の米国特許出願第１１／２８４０６８号、２００２年８月１２日出願の米国仮出願第６０／４０２７４６号、２００２年８月２３日出願の米国仮出願第６０／４０５４７１号、米国仮出願第６０／４８７５４１号、２００２年８月２９日出願の米国特許出願第１０／２３１４３３号、これら全ては参照として本願に組み込まれる。本願で説明される適切なサイズのＩＯＬを選択することができるだけではなくて、埋め込み後にレンズを修正することができることが有利であり得る。本願で説明されるいずれかのレンズに対する埋め込み後の調整を用いて、例えば、埋め込み後のレンズの設定点を調整することができる。
【０１１７】
本願の開示は、水晶体嚢のサイズの可変性、及び眼内に生じる若しくはレンズに対して生じる変化を考慮するために使用可能な流体充填ＡＩＯＬの特定の構造の特徴を強調したものであるが、本開示はそれに限定されるものではない。代替的なＡＩＯＬ（流体駆動、非流体駆動を含む）が、水晶体嚢の力、各種屈折力の率の変化等に対する非線形応答を有するように同様に構成及び配置可能である。本願で説明されるように、あらゆるＡＩＯＬに対して、埋め込み後に、レンズの屈折力を変化させることなく（またはほとんど変化させずに）、水晶体嚢の収縮に応答して変形できることが非常に有利となり得る。
【０１１８】
埋め込み後に眼内で生じる変化を考慮するように修正可能な代替例のＡＩＯＬは、米国特許第７４５２３７８号明細書、米国特許第７４５２３６２号明細書、米国特許第７２３８２０１号明細書、米国特許第７２２６４７８号明細書、米国特許第７１９８６４０号明細書、米国特許第７１１８５９６号明細書、米国特許第７０８７０８０号明細書、米国特許第７０４１１３４号明細書、米国特許第６８９９７３２号明細書、米国特許第６８８４２６１号明細書、米国特許第６８５８０４０号明細書、米国特許第６８４６３２６号明細書、米国特許第６８１８１５８号明細書、米国特許第６７８６９３４号明細書、米国特許第６７６４５１１号明細書、米国特許第６７６１７３７号明細書、米国特許出願公開第２００８／０２６９８８７号明細書、米国特許第７２２０２７９号明細書、米国特許出願公開第２００８／０３００６８０号明細書、米国特許出願公開第２００８／０００４６９９号明細書、米国特許出願公開第２００７／０２４４５６１号明細書、米国特許出願公開第２００６／００６９４３３号明細書に開示されていて、これら全ては参照として本願に組み込まれる。
【０１１９】
本願において本発明の好ましい実施形態について示して説明してきたが、このような実施形態が単に例示目的で提供されていることは当業者に明らかである。多数のバリエーション、変化、置換が、本発明から逸脱することなく当業者には思い付くものである。本願で説明される本発明の実施形態に対する多様な代替例を、本発明を実施するのに採用可能である。添付の特許請求の範囲が、本発明の範囲を定めるものであり、特許請求の範囲内の方法及び構造及びそれらの等価物がカバーされるものである。
【符号の説明】
【０１２０】
１０  ＡＩＯＬ
１２  ハプティック
１４  ハプティック
１６  前方素子
１８  中間層
２０  アクチュエータ
２１  パッシブチャンバ
２２  後方素子
２４  内部ボリューム
２６  アクティブチャネル
５８  デッドゾーン
７０  ベローズ
７１  偏向素子
７２  アクティブチャネル
７３  アクチュエータ
７４  前方素子
７５  後方素子
７８  中間層
【図１】
2014231014.tif 000003
【図２Ａ】
2014231014.tif 000004
【図２Ｂ】
2014231014.tif 000005
【図３】
2014231014.tif 000006
【図４】
2014231014.tif 000007
【図５】
2014231014.tif 000008
【図６】
2014231014.tif 000009
【図７】
2014231014.tif 000010
【図８】
2014231014.tif 000011
【図９】
2014231014.tif 000012
【図１０】
2014231014.tif 000013
【図１１】
2014231014.tif 000014
【図１２】
2014231014.tif 000015
【図１３】
2014231014.tif 000016
【図１４】
2014231014.tif 000017
【図１５】
2014231014.tif 000018
【図１６】
2014231014.tif 000019
【図１７】
2014231014.tif 000020
【図１８】
2014231014.tif 000021
【図１９】
2014231014.tif 000022
【図２０】
2014231014.tif 000023
【図２１】
2014231014.tif 000024
【図２２】
2014231014.tif 000025
【図２３】
2014231014.tif 000026
【図２４】
2014231014.tif 000027
【図２５】
2014231014.tif 000028
【図２６Ａ】
2014231014.tif 000029
【図２６Ｂ】
2014231014.tif 000030
【図２６Ｃ】
2014231014.tif 000031
【外国語明細書】
2014231014000001.pdf